【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
患者に呼吸可能な気体を送出する呼吸装置で使用される導管であって、
前記導管は、
チューブと、
前記チューブの外面上の螺旋状リブと、
前記チューブの外面に接触する前記螺旋状リブによって支持された少なくとも３本の配線と、前記呼吸装置の電源及び制御器に信号を提供する、前記３本の配線の内の少なくとも１本に接続された温度センサとを有するチューブ回路と
を具備することを特徴とする導管。
【請求項２】
前記チューブは、熱可塑性エラストマで形成されることを特徴とする請求項１に記載の導管。
【請求項３】
前記螺旋状リブは、低密度ポリエチレンで形成されることを特徴とする請求項１又は２に記載の導管。
【請求項４】
前記少なくとも３本の配線は、銅であることを特徴とする請求項１〜３のいずれか１項に記載の導管。
【請求項５】
前記導管の端に接続されたコネクタブロックをさらに具備し、
前記コネクタブロックは、前記呼吸装置の流量発生器及び／又は患者インターフェイスに接続されるように構成されることを特徴とする請求項１〜４のいずれか１項に記載の導管。
【請求項６】
前記コネクタブロックは、カフによって前記導管に接続されることを特徴とする請求項５に記載の導管。
【請求項７】
前記カフは、前記導管及び前記コネクタブロックにオーバーモールド形成されることを特徴とする請求項６に記載の導管。
【請求項８】
前記コネクタブロックは、前記流量発生器に接続されるように構成されるとともに、
前記導管は、電気コネクタに接続されるように構成された端子留め具をさらに具備することを特徴とする請求項５〜７のいずれか１項に記載の導管。
【請求項９】
前記端子留め具は、電力が前記電気コネクタによって前記導管に送出されるように、少なくとも３本の配線に接触することを特徴とする請求項８に記載の導管。
【請求項１０】
前記端子留め具は、前記コネクタブロックに取り付けられるとともに、前記カフによって前記コネクタブロックに固定されることを特徴とする請求項８又は９に記載の導管。
【請求項１１】
前記端子留め具は、少なくとも３本の配線に対応する少なくとも３つの端子を具備することを特徴とする請求項８〜１０のいずれか１項に記載の導管。
【請求項１２】
前記コネクタブロックは、前記患者インターフェイスに接続されるように構成されるとともに、
前記チューブ回路は、前記コネクタブロックによって支持され、かつ前記複数の配線に接続されるプリント回路基板をさらに具備することを特徴とする請求項５に記載の導管。
【請求項１３】
前記プリント回路基板は、熱媒体加熱器及び前記温度センサを具備することを特徴とする請求項１２に記載の導管。
【請求項１４】
前記プリント回路基板をカフが覆うことを特徴とする請求項５に記載の導管。
【請求項１５】
前記複数の配線の内の１本は、前記呼吸装置の電源及び制御器に信号を提供するように、前記温度センサに接続されることを特徴とする請求項１３に記載の導管。
【請求項１６】
前記少なくとも３本の配線の内の少なくとも１本は、前記熱媒体加熱器に接続されることを特徴とする請求項１３に記載の導管。
【請求項１７】
前記熱媒体加熱器は、前記導管の温度が所定の温度を超えた場合に、前記回路を開くように構成された温度ヒューズを具備することを特徴とする請求項１３に記載の導管。
【請求項１８】
前記コネクタブロックは、前記プリント回路基板の少なくとも一部を前記導管中の気体流に晒すように構成された窓を含む請求項１２に記載の導管。
【請求項１９】
前記温度センサは、サーミスタであることを特徴とする請求項１〜５のいずれか１項に記載の導管。
【請求項２０】
前記コネクタブロックは、前記患者インターフェイスの肘に接続するように構成されることを特徴とする請求項５に記載の導管。
【請求項２１】
前記カフは、外面内及び／又は外面上に形成されたグリップ形状を有することを特徴とする請求項６、７、１４のいずれか１項に記載の導管。
【請求項２２】
前記カフは、外面内及び／又は外面上に形成された歪解放形状を具備することを特徴とする請求項６、７、１４、２１のいずれか１項に記載の導管。
【請求項２３】
前記温度センサに接続された少なくとも３本の配線の第１配線は、検知配線を具備し、
第２配線は、前記呼吸装置の電源及び制御器に接続されるように構成され、
第３配線は、接地配線となるように構成されることを特徴とする請求項１〜５、１９〜２２のいずれか１項に記載の導管。
【請求項２４】
前記検知配線は、前記呼吸装置の電源及び制御器のオフデューティーサイクル中、前記温度センサから信号を送るように構成されることを特徴とする請求項２３に記載の導管。
【請求項２５】
前記呼吸装置の電源及び制御器は、前記導管における故障を検出するように構成され、
前記故障は、前記少なくとも３本の配線の内のいずれかの断線、何らかのアーキング、及び／又は前記カフ内の接続不良を有する請求項２３に記載の導管。
【請求項２６】
患者に呼吸可能な気体を送出する呼吸装置であって、
前記患者に送出される加圧気体の供給を発生させる流量発生器と
水を蒸発させかつ水蒸気を送出して、前記気体を加湿する加湿器と、
前記流量発生器から前記加湿器に至る第１気体流路と、
前記加湿器から患者インターフェイスに至る第２気体流路と
を具備し、
第１気体流路は、前記チューブの外面と接触する少なくとも３本の配線を有する第１導管を備えるとともに、
前記第２気体流路は、前記少なくとも３本の配線に接続されたプリント回路基板を有する第２導管を備えることを特徴とする呼吸装置。
【請求項２７】
電気コネクタを通して前記第１導管への電力を供給及び制御するように構成された電源及び制御器をさらに具備することを特徴とする請求項２６に記載の呼吸装置。
【請求項２８】
前記電源及び制御器は、スイッチモード電源に接続されたＡＣ電源入力と前記スイッチモード電源に接続された迂回ＡＣ電源リードとを具備し、
前記流量発生器は、前記迂回ＡＣ電源リードによって前記電源及び制御器に接続可能であることを特徴とする請求項２７に記載の呼吸装置。
【請求項２９】
前記電源及び制御器は、選択されたデューティーサイクルで前記スイッチモード電源からＤＣ電源出力を生成するように構成された制御ユニットをさらに具備し、
前記ＤＣ電源出力は、前記電気コネクタによって前記第１導管に接続されることを特徴とする請求項２８に記載の呼吸装置。
【請求項３０】
前記電源及び制御器は、選択されたデューティーサイクルで、ＤＣ電源出力のオン及びオフを切り替えるように構成されたスイッチをさらに具備することを特徴とする請求項２９に記載の呼吸装置。
【請求項３１】
前記制御ユニットは、閉ループ温度制御システムであるとともに、前記デューティーサイクルのオフサイクル中、前記第２導管上の温度センサからの信号を受けるとともに、前記デューティーサイクルのオンサイクル中、前記第２導管において予め設定された温度を維持するように、ＤＣ電源出力を制御するように構成されることを特徴とする請求項３０に記載の呼吸装置。
【請求項３２】
前記制御ユニットは、前記電源及び制御器がオフにされた場合、温度を記録するように構成されることを特徴とする請求項２９〜３１のいずれか１項に記載の呼吸装置。
【請求項３３】
前記電源及び制御器は、複数のＬＥＤを具備することを特徴とする請求項２９〜３２のいずれか１項に記載の呼吸装置。
【請求項３４】
第１ＬＥＤは、前記ＤＣ電源出力がオンでありかつ前記第１導管に提供されていることを示すように構成され、第２ＬＥＤは、前記ＤＣ電源出力がオンであるが前記第１導管に提供されていないことを示すように構成されるとともに、第３ＬＥＤは、故障を示すように構成されることを特徴とする請求項３３に記載の呼吸装置。
【請求項３５】
前記故障は、ａ）前記第１及び第２導管の複数の配線のいずれかにおける断線、並びに／又は、ｂ）アーキング、及び／若しくは前記第１導管と前記流量発生器との間の接続不良、及び／若しくは前記第２導管と前記患者インターフェイスとの間の接続不良、並びに／又はｃ）低電圧を有することを特徴とする請求項３４に記載の呼吸装置。
【請求項３６】
患者に呼吸可能な気体を送出する呼吸装置であって、
前記患者に送出される加圧気体の供給を発生させる流量発生器と、
水を蒸発させかつ水蒸気を送出して、前記気体を加湿する加湿器と、
前記流量発生器から前記加湿器に至る第１気体流路と、
前記加湿器から前記患者インターフェイスに至る第２気体流路と
を具備し、
少なくとも前記第２気体流路は導管を備え、
前記導管は、
チューブと、
前記チューブの外面上の螺旋状リブと、
前記チューブの外面と接触する前記螺旋状リブによって支持された少なくとも３本の配線と、前記呼吸装置の電源及び制御器に信号を提供する、前記３本の配線の内の少なくとも１本に接続された温度センサとを有するチューブ回路と、
前記チューブの第１の端に接続された第１カフ、及び前記チューブの第２の端に接続された第２カフと
を備え、
前記第１カフは、前記呼吸装置の患者インターフェイスに接続されるように構成されるとともに、前記第２カフは、前記呼吸装置の流量発生器又は加湿器に接続されるように構成され、
前記呼吸装置は、
前記カフを通して前記導管への電力を供給及び制御するように構成された電源及び制御器を備えることを特徴とする呼吸装置。
【請求項３７】
前記温度センサは、前記第１カフにおいて提供されることを特徴とする請求項３６に記載の呼吸装置。
【請求項３８】
前記温度センサに接続された前記少なくとも３本の配線の内の第１配線は、検知配線を具備し、
第２配線は、前記流量発生器又は加湿器の電源に接続されるように構成されるとともに、
第３配線は、接地配線となるように構成されることを特徴とする請求項３６に記載の呼吸装置。
【請求項３９】
前記第１配線は、前記第２配線と前記第３配線との間にあることを特徴とする請求項３８に記載の呼吸装置。
【請求項４０】
前記温度センサは、サーミスタを具備することを特徴とする請求項３６に記載の呼吸装置。
【請求項４１】
前記サーミスタは、負温度係数（ＮＴＣ）材料を具備することを特徴とする請求項４０に記載の呼吸装置。
【請求項４２】
前記電源及び制御器は、前記導管と前記呼吸装置の前記流量発生器若しくは加湿器との接続における故障、及び／又は前記導管のチューブ回路内の故障を検知するように構成された故障検出回路を具備することを特徴とする請求項３６に記載の呼吸装置。
【請求項４３】
前記故障は、ａ）前記導管の少なくとも３本の配線の内のいずれかにおける断線、並びに／又はｂ）アーキング、及び／若しくは前記導管と前記呼吸装置の流量発生器及び／若しくは加湿器との間の接続不良、及び／若しくは前記導管と患者インターフェイスとの間の接続不良、並びに／又はｃ）低電圧を有することを特徴とする請求項４２に記載の呼吸装置。
【請求項４４】
前記電源及び制御器は、前記温度センサ内の故障のイベントにおいて、電力の供給を中断するように構成されることを特徴とする請求項４２又は４３に記載の呼吸装置。
【請求項４５】
前記電源及び制御器は、過温度制御回路を具備することを特徴とする請求項３６に記載の呼吸装置。
【請求項４６】
前記電源及び制御器は、所望温度を得るための加熱を制御するように構成された加熱制御回路をさらに具備することを特徴とする請求項３６に記載の呼吸装置。